(57)【特許請求の範囲】
【請求項１】
中継基板の前面に外側コネクターが実装されると共に後面に内側コネクターが実装され、前記中継基板が前方に開口した基板用ケース内に前方から収納されて該基板用ケースに取り付けられ、前記内側コネクターが前記基板用ケースの奥面部に設けられた挿通孔を介して後方に突出し、前記基板用ケースが、前記中継基板によって機器筐体に形成された貫通孔が閉塞されるように機器筐体に取り付けられて、前記外側コネクター及び内側コネクターが機器筐体の外側及び内側の夫々に配置されたことを特徴とする中継基板取付構造。
【請求項２】
前記外側コネクターが接続されるコネクターの挿抜方向が前記中継基板の板面に対して垂直になるものであることを特徴とする請求項１に記載の中継基板取付構造。
【発明の詳細な説明】
【技術分野】
【０００１】
本発明は中継基板取付構造に関する。
【背景技術】
【０００２】
従来から、装置同士を電気接続するための中継基板として特許文献１に示すものが知られている。
【０００３】
この中継基板はマザーボード接続用コネクターと回路基板接続用コネクターを備え、マザーボードと回路基板を導通させるものである。
【０００４】
ところで、前記中継基板によって接続されるマザーボード及び回路基板は共に機器筐体の内部に配置されるものであり、機器筐体内の装置と機器筐体外の装置を接続するものではない。
【０００５】
ここで、特許文献１の技術を用いて機器筐体内の装置と機器筐体外の装置を接続するには、機器筐体外の装置側のコネクターを通すための貫通孔を設けることが考えられる。しかし、このようにすると機器筐体の内外が貫通孔を介して通じて様々な不具合が生じる恐れがあり、またこれを解決するには前記貫通孔を閉塞するための部材が別途必要になる。
【０００６】
また、機器筐体内の装置と機器筐体外の装置を接続するには、前記中継基板を用いず、機器筐体に中継コネクターを設け、該中継コネクターにより機器筐体内の装置に接続される電線と機器筐体外部の装置に接続される電線とを中継することも考えられる。しかし、このようにすると、中継コネクターの総極数が多くなってコスト増加の要因になる。これを解消するには、例えば機器筐体内の装置に接続される電線のうちの同電位の電線同士をカプセル端子等で結線すると共に、機器筐体外の装置に接続される電線のうちの同電位の電線同士をカプセル端子等で結線することも考えられるが、この場合は煩雑な作業が必要になる。
【先行技術文献】
【特許文献】
【０００７】
【特許文献１】特開平７−３３６０７５号公報
【発明の概要】
【発明が解決しようとする課題】
【０００８】
本発明は前記事情に鑑みてなされたものであって、機器筐体の内部に配置される装置と機器筐体の外部に配置される装置を容易に電気的に接続することができ、且つ機器筐体の貫通孔を閉塞するための部材を別途設ける必要のない中継基板取付構造を提供することを課題とする。
【課題を解決するための手段】
【０００９】
前記課題を解決するために請求項１に係る中継基板取付構造は、中継基板１の前面に外側コネクター１９が実装されると共に後面に内側コネクター２０が実装され、前記中継基板１が前方に開口した基板用ケース２１内に前方から収納されて該基板用ケース２１に取り付けられ、前記内側コネクター２０が前記基板用ケース２１の奥面部２４に設けられた挿通孔２３を介して後方に突出し、前記基板用ケース２１が、前記中継基板１によって機器筐体５に形成された貫通孔１８が閉塞されるように機器筐体５に取り付けられて、前記外側コネクター１９及び内側コネクター２０が機器筐体５の外側及び内側の夫々に配置されたことを特徴とする。
【００１０】
また、請求項２に係る中継基板取付構造は、請求項１において、前記外側コネクター１９が接続されるコネクターの挿抜方向が前記中継基板１の板面に対して垂直になるものであることを特徴とする。
【発明の効果】
【００１１】
請求項１に係る発明にあっては、中継基板が機器筐体に形成された貫通孔を閉塞するよう機器筐体に取り付けられて、中継基板に実装された外側コネクター及び内側コネクターが貫通孔を利用して機器筐体の外側及び内側の夫々に配置される。このため、機器筐体内に配置される装置に接続されるコネクターを内側コネクターに接続すると共に、機器筐体外に配置される装置に接続されるコネクターを外側コネクターに接続することで、機器筐体の内部に配置される装置と機器筐体の外部に配置される装置を容易に電気的に接続することができる。また、外側コネクター及び内側コネクターが実装された中継基板により機器筐体の貫通孔を閉塞できるため、貫通孔を閉塞するための部材を別途設ける必要がない。
【００１２】
また、請求項２に係る発明にあっては、外側コネクターが接続されるコネクターの挿抜方向が中継基板の板面に対して垂直になるので、外側コネクターに対応するコネクターを接続する際に中継基板が邪魔にならず、外側コネクターに対応するコネクターを容易に接続することができる。
【図面の簡単な説明】
【００１３】
【図１】本発明の実施形態の調理器、操作器、及びキャビネット本体の分解斜視図である。
【図２】同上の操作器を収納した状態にあるガス台の斜視図である。
【図３】同上の操作器を収納した状態にあるガス台の断面図である。
【図４】同上の操作器を突出させた状態にあるガス台の斜視図である。
【図５】同上の中継基板が取り付けられた基板用ケースを示し、（ａ）は斜視図、（ｂ）は背面図、（ｃ）は平面図、（ｄ）は正面図である。
【図６】同上の中継基板を示し、（ａ）は斜視図、（ｂ）は背面図、（ｃ）は平面図、（ｄ）は正面図である。
【図７】同上の基板用ケースを示し、（ａ）は斜視図、（ｂ）は背面図、（ｃ）は平面図、（ｄ）は正面図である。
【発明を実施するための形態】
【００１４】
以下、本発明の実施形態を添付図面に基づいて説明する。図１に示すように本実施形態の中継基板１は調理器３の機器筐体５に取り付けられ、機器筐体５の内部に配置される制御器（不図示）と機器筐体５の外部に配置される調理器３用の操作器４とを電気的に接続する。
【００１５】
調理器３は図２に示すようにキッチンキャビネット２に組み込まれるビルトイン式のガスこんろであって、キッチンキャビネット２と調理器３で構成されたガス台は壁に沿ってキッチンに設置される。以下ではガス台から見て利用者が立つ側を前方、壁側を後方と定義して各構成部材につき説明する。
【００１６】
図３に示すようにキッチンキャビネット２は、上方に開口した箱状のキャビネット本体１５と、キャビネット本体１５の上開口を塞ぐカウンター１１で構成されている。
【００１７】
調理器３の外郭となる機器筐体５は、上方に開口し且つ左右に長いケース１３と、ケース１３上に取り付けられてケース１３の上開口を塞ぐトッププレート７とで構成されている。
【００１８】
ケース１３内にはバーナー６が複数設けられ、各バーナー６に設けられたバーナーヘッド１０により調理物を加熱する加熱部が構成されている。本実施形態では、図１に示すように三個のこんろバーナー６が左右に並設されている。各こんろバーナー６は機器筐体５の上面を構成するトッププレート７を通して上方に突出し、これにより各こんろバーナー６のバーナーヘッド１０はトッププレート７よりも上方に配置されている。トッププレート７上には各バーナーヘッド１０を囲む五徳９が設けられている。
【００１９】
ケース１３内には各こんろバーナー６に設けられた点火プラグや温度センサ等の電気機器（不図示）に電気接続される制御器（不図示）が設けられている。また、機器筐体５の前面を構成するケース１３の前板部２２には貫通孔１８が形成されている。本実施形態では、前板部２２に左右に長い矩形状の貫通孔１８が左右方向に複数（図示例では３個）並設されている。
【００２０】
中継基板１は全ての貫通孔１８を閉塞するように機器筐体５内に配設され、これによって機器筐体５に外部から虫等が入り込むことが防止される。
【００２１】
図６に示すように中継基板１はその前後両面に銀箔からなるパターン（回路）が設けられた両面基板からなり、左右に長い矩形状に形成されている。中継基板１の前面においてケース１３の各貫通孔１８に対応する箇所には複数の外側コネクター１９が実装され、中継基板１の後面には前記パターンを介して外側コネクター１９に導通する複数の内側コネクター２０が実装されている。各コネクター１９，２０は一端が開口した箱状のハウジング２５の底部に開口側に向けて突出する複数の電極を列設したものである。各コネクター１９，２０は前記ハウジング２５の開口方向が中継基板１の板面に対して垂直となるよう設けられ、これにより接続されるコネクター（不図示）の挿抜方向が中継基板１の板面に対して垂直となる。以下、外側コネクター１９に接続されるコネクターを操作器側コネクターと記載し、内側コネクター２０に接続されるコネクターを制御器側コネクターと記載する。
【００２２】
前記外側コネクター１９及び内側コネクター２０の中継基板１への実装は以下のように行われる。まず中継基板１のスルーホールに外側コネクター１９の端子が挿入され、この後、外側コネクター１９の端子と前記パターンとがリフロー半田により半田付けされる。これにより外側コネクター１９が実装される。次に、中継基板１のスルーホールに内側コネクター２０の端子が挿入され、この後、内側コネクター２０の端子と前記パターンとが手半田又は半田付けロボットにより半田付けされ、これにより内側コネクター２０が実装される。
【００２３】
ところで、前記中継基板１に設けられたスルーホールのうち、後に実装される内側コネクター２０用のスルーホールが先に実装される外側コネクター１９の半田付けの際に露出していると、内側コネクター２０用のスルーホールに外側コネクター１９の半田付けに用いられる半田が付着し、内側コネクター２０用のスルーホールが塞がれる可能性がある。このため、前記内側コネクター２０用のスルーホールには前記外側コネクター１９を半田付けする前に予めマスキングが施され、これにより前記内側コネクター２０用のスルーホールが半田により塞がれることが防止される。なお、前記スルーホールをマスキングしたマスキング材は内側コネクター２０が実装される際に除去される。
【００２４】
前記外側コネクター１９及び内側コネクター２０が実装された中継基板１は図７に示す基板用ケース２１に収納され、この基板用ケース２１を機器筐体５に取り付けることで、中継基板１は機器筐体５に対して固定される。
【００２５】
基板用ケース２１は前方が開口し正面から見て中継基板１よりも一回り大きい矩形箱状に形成されている。基板用ケース２１の底部を構成する奥面部２４には、前後方向に貫通する矩形状の挿通孔２３が左右に複数（図示例では２個）並設されている。各挿通孔２３は中継基板１の後面に実装された内側コネクター２０に対応する箇所に位置している。
【００２６】
中継基板１は図５に示すように基板用ケース２１内に前方から挿入されることで嵌め込まれ、この中継基板１を基板用ケース２１の奥面部２４にねじ止めすることにより各挿通孔２３を塞いだ状態で基板用ケース２１に取り付けられる。このように中継基板１が基板用ケース２１に取り付けられると、中継基板１に実装された各内側コネクター２０は基板用ケース２１の対応する挿通孔２３を介して後方に突出する。また、中継基板１に実装された各外側コネクター１９は基板用ケース２１の前開口部を介して前方に露出する。
【００２７】
前記中継基板１が取り付けられた基板用ケース２１は、機器筐体５の内側からケース１３の前板部２２の後面にねじ等を用いて取り付けられ、機器筐体５内に配設される。
【００２８】
このように基板用ケース２１を機器筐体５に取り付けた状態では、基板用ケース２１に収納された中継基板１がケース１３の前板部２２の後面に沿って配置され、この中継基板１により前板部２２に形成された各貫通孔１８が閉塞される。また、この中継基板１の前面に実装された外側コネクター１９は、対応する貫通孔１８を介して前板部２２前方に突出し、機器筐体５の外部に露出する。
【００２９】
前記中継基板１に実装された各内側コネクター２０には、前記機器筐体５に内蔵した制御器にハーネス（不図示）を介して接続される制御器側コネクターが後方から挿入されて接続され、これによって中継基板１は前記制御器と電気的に接続される。
【００３０】
図３に示すようにキッチンキャビネット２の上面を構成するカウンター１１には開口部１２が形成されている。キッチンキャビネット２への調理器３の設置は、機器筐体５を開口部１２を介してキッチンキャビネット２内に落とし込んだ状態でカウンター１１に固定することで行われる。
【００３１】
操作器４はキッチンキャビネット２の上端部の前部に設けられ、調理器３の前方に配置される。操作器４の上面には調理器３を操作するための操作部１７が設けられている。
【００３２】
操作器４はキッチンキャビネット２に対して前後方向に移動自在に設けられ、図２及び図３に示すように後退位置に配置された操作器４は、キッチンキャビネット２の上端部の前部に形成された前方に開口する操作器収納部１６に収納される。
【００３３】
キッチンキャビネット２には、操作器収納部１６に収納された操作器４を保持すると共に保持状態にある操作器４が後方に押圧されたときにこの保持状態を解除するラッチ等からなる保持手段（不図示）と、前記後退位置にある操作器４を前方に付勢するばね等からなる付勢手段（不図示）が設けられている。
【００３４】
図２及び図３に示すように操作器収納部１６に収納された操作器４が後方に押し込まれると、前記保持手段による操作器４の保持状態が解除され、操作器４が前記付勢手段により図４に示す前進位置まで移動し、操作部１７が露出する。これによって、操作器４は操作可能になる。また、図４に示すようにキッチンキャビネット２から前方に突出した操作器４が付勢手段に抗して後方に押し込まれると、操作器４は図２及び図３のように操作器収納部１６に収納されて保持手段により保持される。
【００３５】
このようにキッチンキャビネット２に設けられた操作器４は、後方の調理器３に設けられた中継基板１に電気的に接続される。この接続は、操作器４にハーネス（不図示）を介して接続される操作器側コネクターを、調理器３の貫通孔１８を介して前方に露出した外側コネクター１９に前方から挿入して接続することで行われる。かくして操作器４は中継基板１を介して前記調理器３の制御器と電気的に接続され、操作器４により調理器３が操作可能となる。
【００３６】
以上説明した本実施形態の中継基板取付構造では、中継基板１が機器筐体５に形成された貫通孔１８を閉塞するよう機器筐体５に取り付けられ、これによって中継基板１に実装された外側コネクター１９及び内側コネクター２０が機器筐体５の外側及び内側の夫々に配置される。このため、制御器側コネクターを内側コネクター２０に接続すると共に操作器側コネクターを外側コネクター１９に接続することで、機器筐体５の内部に配置される制御器と機器筐体５の外部に配置される操作器４を容易に電気的に接続することができる。また、外側コネクター１９及び内側コネクター２０が実装された中継基板１により、機器筐体５の貫通孔１８を閉塞できるため、貫通孔１８を閉塞するための部材を別途設ける必要がなく、コストを削減できる。
【００３７】
また、本実施形態では、外側コネクター１９が操作器側コネクターの挿抜方向が中継基板１の板面に対して垂直になるよう設けられるので、操作器側コネクターを外側コネクター１９に対して挿抜する際に中継基板１が邪魔にならず、操作器側コネクターを外側コネクター１９に容易に接続することができる。
【００３８】
なお、前記外側コネクター１９及び内側コネクター２０に接続されるコネクターの挿抜方向は中継基板１の板面に対して垂直となる方向以外の方向としても構わない。また、本実施形態の中継基板１は調理器３と操作器４を接続するものであるが、中継基板１で接続される装置としてはこれらに限定されず、他の装置同士を中継するものであっても構わない。
【符号の説明】
【００３９】
１  中継基板
１８  貫通孔
１９  外側コネクター
２０  内側コネクター
【図１】
0005612441.tif 000002
【図２】
0005612441.tif 000003
【図３】
0005612441.tif 000004
【図４】
0005612441.tif 000005
【図５】
0005612441.tif 000006
【図６】
0005612441.tif 000007
【図７】
0005612441.tif 000008